(57)【要約】【課題】照明器具やコンセントに係る電気回路の極性試験を検査できる電気回路は導入されていないことから、本発明に係る簡易照明試験器具を使用して電気回路の極性試験を検査できるようにする。【解決手段】本実施形態は、屋内の検査時における簡易照明試験器具について、図１に一例として示している。符号１は簡易照明試験器具を示し、この簡易照明試験器具１は屋内天井２に設けられた電気引き込み中継金具３に着脱自在な連結部材としてのプラグ部材４に、着脱操作するための操作棒５を取り付けて、照明灯６を取り付ける構成としている。  本発明の簡易照明試験器具１のスイッチ１０を入れると、照明灯６が点灯するのと同時に、接地側が中性線（ニュートラル）に接続されていると、操作棒５の基端部９の近傍１２に小さなランプが点灯およびブザーが鳴動することで極性が正しいと判定できる。【選択図】図１
2014067578.tif 000002
【特許請求の範囲】
【請求項１】
屋内天井に設けられた電気引き込み中継器具に対して着脱自在な連結部材に、着脱操作するための操作棒を取り付けると共に、操作棒から水平に一対に突出した端部に照明灯を金具にて回動可能に取り付け、その照明灯はＬＥＤランプとすることを特徴とする簡易照明試験器具。
【請求項２】
前記操作棒は、金属製であると共に、操作棒の長さを伸縮自在とされていることを特徴とする請求項１に記載の簡易照明試験器具。
【請求項３】
前記操作棒は、電気回路の極性を検査できる回路を内蔵して、操作棒に設けられているランプ及び鳴動により極性を確認することを特徴とする請求項１に記載の簡易照明試験器具。
【発明の詳細な説明】
【技術分野】
【０００１】
本発明は、建築竣工時の屋内検査時における簡易照明試験器具に関するものである。
【背景技術】
【０００２】
従来、建築施工中にある建築物の室内は、仮設照明器具なるものを点灯させて、作業するための明るさを確保している。工事完了直前は、各種の検査を行うことになっているが、仮設照明器具が取り払われるので、充分な明るさを失い、検査に支障をきたし、懐中電灯のような物で局所的な照明として使用していた。
また、室内における照明器具やコンセントなどの電気回路が、所定の電圧や正しい極性かを検査する必要があった。
【０００３】
この点、特許文献１には、屋内天井に設けられた電気引き込み中継器具に対して着脱自在な連結部材に、着脱操作するための操作棒を取り付けると共に、照明灯を取り付けた簡易照明器具が開示されている。
【先行技術文献】
【特許文献】
【０００４】
【特許文献１】実用新案第２５８７４６５号公報
【発明の概要】
【発明が解決しようとする課題】
【０００５】
照明灯には、白熱電球が使用され、一対の白熱電球がプラグ部材に、導線を介して接続されている。この白熱電球は、消費電力を多く消費し、また、導線を介して白熱電球を接続していることから、本体を大きく移動したりすると白熱電球は上下左右にランダムに乱れて動くために周囲に衝突して、他の物を傷つけたり、白熱電球自体が割れるなどの損傷する場合があった。
【０００６】
また、操作棒は、塩化ビニール製などが使用されている。これでは、操作棒の長さが固定されてしまい、天井が高い場合は操作棒の長さが足りず、それを補うために椅子や脚立を使用しなければならず、持ち運ぶときも難点があった。
【０００７】
さらに、照明器具やコンセントに係る電気回路の極性試験を検査できる電気回路は導入されていないことから、極性においては、別の機器を使用して電気回路の極性試験を検査しなければならない。
本発明は、工事完了直前でマンション等の居室における場合に、着脱自在で検査に必要な照度を得ることができる屋内の検査時における簡易照明試験器具を提供するものである。
【課題を解決するための手段】
【０００８】
請求項１に係る発明は、屋内天井に設けられた電気引き込み中継器具に対して着脱自在な連結部材に、着脱操作するための操作棒を取り付けると共に、操作棒から水平に一対に突出した端部に照明灯を金具にて可動可能に取り付け、その照明灯はＬＥＤランプとすることにした。
【０００９】
請求項２に係る発明は、操作棒は、金属製であると共に、操作棒の途中で、操作棒の長さを伸縮自在にすることができる部分１１を特徴としている。
【００１０】
請求項３に係る発明は、操作棒は、電気回路の極性を検査できる回路を内蔵して、操作棒に設けられているランプ及び鳴動する箇所１２により確認することを特徴としている。
【発明の効果】
【００１１】
請求項１に係る発明によれば、照明灯として、消費電力を消費する白熱電球から消費電力の少ないＬＥＤにすることによって、省エネルギーに繋がることができる。
さらに、ＬＥＤランプ部分に金属製の金具による回動可能なネジ止めすることで、上下のみに可動でき、ランダムに乱れて動くことがないため、周囲に衝突して他の物を傷つけたりＬＥＤ電球自体に損傷することを防止することができる。
【００１２】
請求項２に係る発明によれば、操作棒を金属製にして、例えば、アルミ製にしてある程度伸縮自在である部分１１を有し、必要に応じて伸ばすことで、脚立を要することなく、検査をすることができる。
【００１３】
請求項３に係る発明によれば、電気回路の極性試験を検査できる回路を内蔵していることから、電気回路に電気が導通していることを確認するのみでなく、電気回路の単相三線式配電において、中性線（ニュートラル）がきちんとコンセントの接地側に接続されているかを同時に検査することができる。
【図面の簡単な説明】
【００１４】
【図１】本発明の実施形態に係る簡易照明試験器具を示す正面図である。
【図２】簡易照明試験器具に係るＡ部  拡大図
【図３】簡易照明試験器具に係るＢ部  正面図
【図４】単相三線式配電図
【図５】コンセント  正面図
【発明を実施するための形態】
【００１５】
本実施形態は、屋内の検査時における簡易照明試験器具について、図１に一例として示している。符号１は簡易照明試験器具を示し、この簡易照明試験器具１は屋内天井２に設けられた電気引き込み中継金具３に着脱自在な連結部材としてのプラグ部材４に、着脱操作するための操作棒５を取り付けて、照明灯６を取り付ける構成としている。
【００１６】
前記電気引き込み中継器具３には、引っ掛けシーリングや通常の差し込み式コンセントがあり、プラグ部材４は、電気引き込み中継器具３が引っ掛けシーリングの場合は、引っ掛けシーリングプラグ７を用い、電気引き込み中継器具３が通常の差し込み式コンセントのといきは、前記引っ掛けシーリングプラグ７に差し込み式プラグアダプタ８を介して電気引き込み中継器具３に着脱自在に構成している。
【００１７】
前記照明灯６は、図２および図３に示すように、ＬＥＤランプが適用され、一対のＬＥＤランプ部分に金属製の金具による回動可能なネジ止めすることで、個々のＬＥＤランプを上下に可動でき、図示しない導線を介してプラグ部材４からＬＥＤランプに接続されている。
【００１８】
本発明の簡易照明試験器具１は、操作棒５の基端部９を持って、天井２の電気引き込み中継器具３にプラグ部材４を差し込み、スイッチ１０を入れると、照明灯６に通電されて、ＬＥＤランプが点灯し、室内が照明されて、検査に必要な照度が得られる。なお、電気引き込み中継器具３が通常の差し込み式プラグアダプタ８を取り付けて差し込むようにすればよい。
【００１９】
さらに、図４に示すように、単相三線式配電における屋内配線の場合、中性線（ニュートラル）の接地が安全上必要とされている。これは、高電圧（一次側、例えば、6,600V）から低電圧（二次側、例えば、210/105V）に家庭用に使用できる電圧に降圧させる変圧器において、その変圧器内で高低圧混触事故等が発生した場合、２次側（つまり、一般家庭側）に接地が施工されていなければ屋内配線の対地電圧が非常に高くなり危険である。しかし、２次側に接地が施工されていれば、変圧器２次側から地絡電流が流れても２次側の対地電圧はあまり上昇しない。図４では、照明器具１３の接地側は、中性線に接続する必要がある。エアコン１４は、210Ｖなので、中性線に接続させる必要はない。
【００２０】
そこで、単相三線式配電における電灯線（100V）は、共通して接地側に接続しているか確認する極性試験の検査をしている。図５に示すように、一般のコンセントは、接地側は向かって左側と決められていて、接地側が中性線（ニュートラル）に接続されているか試験して検査をしている。
【００２１】
本発明の簡易照明試験器具１のスイッチ１０を入れると、照明灯６が点灯するのと同時に、接地側が中性線（ニュートラル）に接続されていると、操作棒５の基端部９の近傍１２に小さなランプが点灯およびブザーが鳴動することで極性が正しいと判定できる。
【００２２】
検査終了で、操作棒５を持って引っ張ると、プラグ部材４は、電気引き込み中継器具３から引き抜かれ、操作棒５を持って、次の検査箇所に移動することができる。
【００２３】
次の検査箇所で、天井２の電気引き込み中継器具３に簡易照明試験器具１を取り付けるのに、必要に応じて操作棒５を伸ばすことで、脚立は不要であり、容易に着脱することができる。
【符号の説明】
【００２４】
１            簡易照明試験器具
２            天井
３            電気引き込み中継器具
４            プラグ部材
５            操作棒
６            照明灯
７            引っ掛けシーリングプラグ
８            差し込み式アダプタ
９            基端部
１０           スイッチ
１１            伸縮部分
１２           極性試験において判定する箇所  
１３           照明器具
１４           エアコン    
【図１】
2014067578.tif 000003
【図２】
2014067578.tif 000004
【図３】
2014067578.tif 000005
【図４】
2014067578.tif 000006
【図５】
2014067578.tif 000007